Podtech/llm-jp-corpus-v4-ja_patent huggingface dataset:
(57)【要約】  歩行器や車椅子、運搬車、スーパー等で使用するカートなどの人力で移動する車に、ハの時に配置した滑り転がりを同時に発生する車輪を設けると、走向時小回りができ、安定移動が可能となり、下り坂道で円滑にブレーキ力を発生し、安定した走行ができ、急停止時につんのめることが無く、軽すぎて勝手に進むことを防止できる。ハの字車輪の接地圧を遠隔で無段階に制御するならば、人力で動く車のみならず自走車にも小回り、安定化等の人力で移動する車と同じ効果がある。【課題】  下り坂道を移動する時に安定した移動を可能にしたり、フリーキャスター車輪付移動車の走向の小回りを可能とする。【解決手段】  人力移動車にハの時に配置した滑り転がりを同時に発生する車輪を設けたり、前述の車輪を回転自由に取り付けたりする【選択図】【図１】
2005270287.tif 000002
【特許請求の範囲】
【請求項１】
フリーキャスター車輪付歩行器の先行側に設けたプレートに取り付けた垂直中空円筒の内部に、回転自由でスライドする軸を設け、スライド軸下端部にハの字に配置した一組の車輪を設け移動時に滑り転がりを同時に発生する安定化装置。
【請求項２】
ハの字に配置した一組の車輪の接地圧力で移動車の自重の一部を受けるようにしたフリーキャスター車輪付人力移動車の安定化装置。
【請求項３】
ハの字に配置した一組の車輪を設けたフリーキャスター車輪付の歩行器。
【請求項４】
ハの字に配置した一組の車輪を設け、接地圧力を任意にリアルタイムに変更できるフリーキャスター車輪付きの車。
【発明の詳細な説明】
【技術分野】
【０００１】
移動車とその走向性能に関するものである。
【背景技術】
【０００２】
移動車には、歩行器、車椅子、運搬車、ベビーカー、スーパー等で使用するカート等があるが、移動と停止は人力に頼るものが多い。
【０００３】
歩行器のブレーキは車輪を停止させる方法とストッパーで接地面に止める方法がある。
【０００４】
歩行器ののブレーキは停止している車が動き出さないようにする、保持ブレーキが主体であり、走向中のブレーキに際しては不安定になるものがある。
【０００５】
歩行器は自由に走向するために車輪にフリーキャスター車輪を使用することが多く、走向の確保のためフレームに方向を固定した車輪を設けたものもある。
【特許文献１】特開２０００−０８４００３  車椅子におけるブレーキ 装置の例
【特許文献２】特開２００２−３０６５５２  キャスター車のフレームに固定した車輪の例
【特許文献３】特開平１１−２７６５３５  車輪を停止させる方法の例
【発明の開示】
【発明が解決しようとする課題】
【０００６】
人力で移動する車が坂道で急停止や、停止できないことがあり、また、人力により移動するフリーキャスター付車輪の車では、走向時に小回りが難いことがあった。
【課題を解決するための手段】
【０００７】
車にハの時に配置した車輪を垂直軸下端部に回転自由に取り付け、移動時に滑り転がりを同時に発生させる。
【発明の効果】
【０００８】
下り坂道で円滑に滑り転がりブレーキ力を発生し安定走行ができ、急停止時につんのめることが無く、平坦地でも軽すぎて慣性力により勝手に進むことを防止し、また、ハの字車輪を中心として移動車の回転が可能で、小回りが容易な走向ができる。
【発明を実施するための最良の形態】
【０００９】
フリーキャスター付歩行器の先行側に設けたプレートに垂直に取り付けた中空円筒の内部に回転自由で、位置ロック付垂直にスライドする軸を設け、スライド軸下部端にハの字に配置した一組の車輪を設ける。
【実施例】
【００１０】
図１の実施例は、フリーキャスター車輪付歩行器の先行側の幅方向中央に設けたプレート１に垂直な円筒２を設ける。垂直な円筒２の内部にスライド軸３を設け、中空円筒とスライド軸は垂直位置をロックでき、スライド軸下端のプレート４にハの字に配置した一組の車輪５を設ける。
【００１１】
下り坂道を歩行器を用いて移動するとき、スライド軸を下方位置に固定し、ハの字車輪に自重反力一部が掛かるようにバネ６で地面に押し付ける。
【００１２】
前項の状態で坂道を下るとき、ハの字車輪の抵抗により勝手に動かないし、また、坂道を下る時に安定した抵抗があり安心して移動可能である。
【００１３】
歩行器を用いて向きを変えるとき、ハの字車輪が抵抗となりハの字車輪を中心として回転するので歩行器は小回り良く走向ができる。
【００１４】
図２は、フリーキャスター車輪付歩行器の先行側車輪に設けたハの字車輪の詳細。
【００１５】
連続的に接地圧力を制御可能なハの字車輪を持つ車。
【００１６】
接地圧力を連続的に制御できるハの字車輪付プレートを取り付けた車。
【産業上の利用可能性】
【００１７】
人力で移動する車やフリーキャスター車輪付人力で移動する車の走向安定性が向上するので、人力で移動する車の適用範囲が大きくなり、歩行器を使用する時は、年寄りや身体障害者の移動を従来より安全にできる。
【図面の簡単な説明】
【００１８】
【図１】従来の歩行器の先行側中央にハの字車輪を設けたもの
【図２】ハの字車輪の上下と位置ロック機構の詳細
【図３】ハの字車輪部の詳細
【符号の説明】
【００１９】
１    幅中央に設けたプレート
２    垂直中空円筒
３    位置ロック付スライド軸
４    ハの字車輪取り付けプレート
５    ハの字に配置した一組の車輪
６    バネ
【図１】
2005270287.tif 000003
【図２】
2005270287.tif 000004
【図３】
2005270287.tif 000005
(57)【要約】【課題】女性の処女喪失時の出血、痛み等の苦痛を解消する【解決手段】処女膜の穿孔（穴）は時間をかけて拡張すれば、伸び切って戻らないという原理に基づき、膣の中に挿入したバルーン１を膨らまし、その空気圧と弾力で処女膜の穿孔（穴）を徐々に拡張する。【選択図】図３
2005237922.tif 000002
【特許請求の範囲】
【請求項１】
膣内に挿入されたバルーンの空気圧と弾力によって、処女膜の穿孔（穴）をゆっくりと時間をかけて、徐々に拡張していくようにした  処女膜穿孔（穴）拡張器具。
【請求項２】
バルーンの代替となる材料、構造の〔特許請求の範囲の請求項１〕に記載の処女膜穿孔（穴）拡張器具。
【請求項３】
紡錘形の棒状のものを尖った先端部分から、穿孔（穴）に時間をかけて挿入することで処女膜穿孔（穴）が徐々に拡張させる構造を持つ処女膜穿孔（穴）拡張器具。
【発明の詳細な説明】
【発明の詳細な説明】
【技術分野】
【０００１】本節名は処女膜破瓜の際の痛み、出血による苦痛を無くするもしくは軽減するために、処女膜を破るのではなく、膣内に挿入されたバルーンの空気圧、及び  弾力で処女膜の穿孔（穴）を時間をかけ徐々に拡張するものである。これによって拡張された処女膜穿孔（穴）はペニスをスムーズに迎え入れるのが可能になるのである。
【背景技術】
【０００２】処女膜破瓜に痛みや出血は不可避なものという固定概念が世間の人々にはあってなんの改善もなされてこなかった。よって従来においては処女喪失時の痛みや出血を防止する処女穴穿孔（穴）拡張器具はなかった。
【発明が解決しようとする課題】
【０００３】処女膜が破瓜される前のその膜は中心部に小さな穿孔（穴）があり、これを無理矢理急いで広げようとすると、具体的にはペニスや指や棒状のものを挿入すると  処女膜は破れ、女性に痛みと出血という苦痛を与えてしまうという難点があった。本発明はこの課題を解消するためになされたものである。
【課題を解決するための手段】
【０００４】処女膜は時間をかけて拡張すれば伸び切ってしまう、つまり元通りに戻らない。これは時間さえかければ処女膜（穴）は破ることなく拡張ができることを意味する。本発明はかかる原理に基づいて処女膜穿孔部に挿入されたバルーン（風船）の空気圧とバルーンの弾力により、ゆっくりと時間をかけて処女膜穿孔を拡張するものである。
図３のＥは処女膜穿孔１０がまだ拡張されてない状態を表したものである。膨らませてないバルーンを処女膜穿孔１０より膣１３の中へ、膣口１１と膣口密着盤４とが密着するように挿入する。
次に  空気ポンプ５よりチューブ７を通った空気１２により、バルーン１を膨らますことで処女膜穿孔は拡張されていく。拡張された処女膜穿孔１４を示したのが〈図３〉のＦである。ＥからＦまでに要した時間は、女性により個人差があるが早いもので３０分くらい、通常１時間前後、遅いものではそれ以上中には半日を要する者もある。
外気出し入れ弁付き口６によりバルーンの空気圧を調整できる。これにより、処女膜穿孔への拡張圧力を女性各自が調整することができる。
さらに空気出し入れ口８に弁を設け、空気の流出を止めて空気ポンプ５とチューブ７を取り外し自由にしておけば、それが付いている時のわずらわしさから解消される。
〈図３〉のＥ−ａとＦ−ｂは密着させず、やや引き抜いたところを表した図である。
【発明の実施の状態】
【０００５】膣口密着盤４の外周に沿ってバルーン１の口と接着する。支え棒先端３の先端を球形にし、支え棒２をバルーン１の内部に置き、膣口密着盤４の中心に接着一体化する。バルーン１の材質に硬い物を使うか構造的にバルーン１を直線的の支えるようにすれば内部に支え棒がない構造も可能である。
膣口密着盤４に穴を開け、空気ポンプ５と繋がったチューブ７を取り付ける。空気ポンプ５には外気出し入れ弁付き口６を付ける。
空気出し入れ口８に弁を付け、取り外し自由の結合部にしておけば、チューブ７と空気ポンプ５は着脱可能となる。
図１Ａはバルーン１が収縮している状態で、図１Ｂ  は膨張している状態である。
図２のＣ及びＤは収縮、及び拡張状態の見取図である。
特許請求の範囲の請求項２についての実施の状態を次に述べる
１，ゴム、バネ、シリコーンなどバルーンの圧力と同等の材料、構造で形成する。
２，水分吸収、温度変化、時間経過による変化等で膨張する材料で形成する。
３，拡張器具を振動させることで拡張する。
特許請求の範囲の請求項３についての実施の状態を次に述べる
１，紡錘形の棒状物１６の先端は処女膜穿孔（穴）１０に容易に挿入できる太さとし、その先端１５は人体を傷つけないよう丸味をつける。
２，拡張器具を振動させることで拡張する。
【発明の効果】
【０００６】初夜を迎える女性が本発明で処女膜拡張をあらかじめ済ませておけば、処女喪失時、出血や痛みという苦痛を伴わず性交できる。
処女喪失の恐怖感やそれによるトラウマ（傷心）を取り除くことが、全世界の女性にとって福音になるものである。
【図面の簡単な説明】
【図１】  本発明の断面図である  Ａはバルーンを膨らませない状態  Ｂはバルーンを膨らませた状態
【図２】  本発明の見取図  Ｃはバルーンを膨らませない状態  Ｄはバルーンを膨らませた状態
【図３】  本発明を膣内に挿入したときの断面図  Ｅはバルーンを膨らませない状態  Ｅ−ａはその時の見取図  Ｆはバルーンを膨らませた状態  Ｆ−ｂはその時の見取図
【図４】  拡張器具本体をバルーンの効果と同等の材質で形成された場合の断面図
【図５】  拡張器具本体を紡錘形の棒状物として形成された場合の断面図
【符号の説明】
１．バルーン（風船）
２．支え棒
３．支え棒先端
４．膣口密着盤
５．空気ポンプ
６．外気出し入れ弁付き口
７．チューブ
８．空気出し入れ口
９．処女膜
１０．処女膜穿孔（穴）
１１．膣口
１２．空気
１３．膣
１４．拡張された処女膜穿孔（穴）
１５．紡錘体先端部
１６．紡錘形の棒状
【図１】
2005237922.tif 000003
【図２】
2005237922.tif 000004
【図３】
2005237922.tif 000005
【図４】
2005237922.tif 000006
【図５】
2005237922.tif 000007
(57)【要約】【課題】高い対雑音性能を実現し、かつ装着時の位置合わせが容易で、メンテナンスが容易となり、さらに簡易に製造が可能な筋電位センサを提供すること。【解決手段】生体に接触する少なくとも２つの検出電極を備え、前記検出電極のうち２つの間の電位差から筋電位を計測する筋電位センサであって、少なくとも前記検出電極を配したプレートと、筋電位検出手段と、を収納する本体ケースを有し、測定対象者の身体に好適に取り付け可能な構造を有した支持体と前記本体ケースとを着脱可能な係止手段を、前記本体ケースと前記支持体のそれぞれが備え、さらに前記本体ケースは導電性の材質を含む構成によって成り、前記係止手段は導電性の材質を含む構成によって成り、前記支持体の少なくとも生体接触面側が導電性の材質を含む構成によって生体の基準電位を取得でき、前記支持体が取得した基準電位を、係止手段と本体ケースとを介して、前記筋電位検出手段へ導通されることを特徴とする筋電位センサを提供する。【選択図】    図１
2005237928.tif 000002
【特許請求の範囲】
【請求項１】
生体に接触する少なくとも２つの検出電極を備え、前記検出電極のうち２つの間の電位差から筋電位を計測する筋電位センサであって、少なくとも前記検出電極を配したプレートと、筋電位検出手段と、を収納する本体ケースを有し、測定対象者の身体に好適に取り付け可能な構造を有した支持体と前記本体ケースとを着脱可能な係止手段を、前記本体ケースと前記支持体のそれぞれが備え、さらに前記本体ケースは導電性の材質を含む構成によって成り、前記係止手段は導電性の材質を含む構成によって成り、前記支持体の少なくとも生体接触面側が導電性の材質を含む構成によって生体の基準電位を取得でき、前記支持体が取得した基準電位を、係止手段と本体ケースとを介して、前記筋電位検出手段へ導通されることを特徴とする筋電位センサ。
【発明の詳細な説明】
【発明の詳細な説明】
【技術分野】
【０００１】本発明は、筋電位を測定する装置に用いられ、皮膚に接触して筋電位を検出する筋電位センサに関するものである。
【背景技術】
【０００２】従来から、筋肉の活動によって生じる筋電位を皮膚に接触させた筋電位測定電極によって検出し、発揮筋力や筋疲労の状態を推定する筋電位測定装置が、リハビリテーションなどの運動訓練に用いられている。この種の筋電位測定装置は、皮膚に接触する２つの検出電極および基準電極を備え、基準電極の電位を基準電位に用い、両検出電極間の電位差を筋電位として検出する。上述のような筋電位測定装置において２つの検出電極と基準電極とをそれぞれ皮膚表面上に装着することによる手間と、電極の位置合わせの手間を軽減するため、特開２００３−１６９７８１公報には２つの検出電極と基準電極とを１つのプレートに一体化し、かつ基準電極が検出電極を取り囲むように配された手法が提案されている。
【特許文献１】特開２００３−１６９７８１公報
【発明の開示】
【発明が解決しようとする課題】
【０００３】上記に示した手法の場合、実際に計測対象者に実施する際には、センサを計測対象者に支持するバンドのようなものが必要となることがほとんどである。しかし支持バンドと、センサが係止されていない場合、計測対象者が行う運動によっては、支持バンドがずれ、その結果、センサを皮膚に押し当てる圧力にばらつきが生じ、好適な計測処理ができない。またはセンサ自体の位置がずれてしまうことも危惧される．仮に係止手段を有する場合でも、それが固定の場合は、位置変更が柔軟に行えない問題やメンテナンスの問題が生じる。本発明は、上記事由に鑑みてなされたものであり、高い対雑音性能を実現し、かつ装着時の位置合わせが容易で、着脱できることでメンテナンスが容易となり、さらに製造が容易な構造を有する筋電位センサを提供することにある。
【課題を解決するための手段】
【０００４】請求項１の発明は、生体に接触する少なくとも２つの検出電極を備え、前記検出電極のうち２つの間の電位差から筋電位を計測する筋電位センサであって、少なくとも前記検出電極を配したプレートと、筋電位検出手段と、を収納する本体ケースを有し、測定対象者の身体に好適に取り付け可能な構造を有した支持体と前記本体ケースとを着脱可能な係止手段を、前記本体ケースと前記支持体のそれぞれが備え、さらに前記本体ケースは導電性の材質を含む構成によって成り、前記係止手段は導電性の材質を含む構成によって成り、前記支持体の少なくとも生体接触面側が導電性の材質を含む構成によって生体の基準電位を取得でき、ｓ前記支持体が取得した基準電位を、係止手段と本体ケースとを介して、前記筋電位検出手段へ導通されることを特徴とする。
【発明の効果】
【０００４】上記した筋電位センサにより、高い対雑音性能を実現し、かつ装着時の位置合わせが容易で、メンテナンスが容易となり、製造が容易な構造を有する筋電位センサを実現した。
【発明を実施するための最良の形態】
【０００５】以下、本発明の実施するための最良の形態を図面に基づいて説明する。本実施形態における筋電位センサ１は、図１に示すように少なくとも２つ以上の検出電極２を有する。検出電極２は、好適には、銀・塩化銀、あるいは、ゲル状の誘電物質を一部に含む構成から成る。それらの検出電極２はプレート４によって固定されている。【０００６】プレート４は、筋電を検出するための電子回路を有する電子基板を兼ねることで、必要な部品点数を減らすことができるため簡易に製造が可能なセンサとなる。その場合、プレート４は、皮膚との接触面に、電極を配し、その反対側に筋電位検出手段７（増幅回路、検波回路、フィルタリング機能、増幅調整回路、インピーダンス調整回路など）を実装した形状となる。支持体５の皮膚接触面より取得された基準電位は、係止手段６と本体ケース３と、を介して筋電位検出手段７に伝達する。このような構成を有することにより、支持体の皮膚接触面側から基準電位を広い皮膚面積から取得できるために、激しい運動を実施した際にも安定した筋電位検出が可能となる。【０００７】また、基準電位をＧＮＤと接続することで、対外来ノイズ特性も向上する。このような構成にすることで、例えば支持体の所定の箇所に無線モジュールを配し、検出した筋電位信号を無線送信する場合なども、無線処理に必要な高周波クロックなど外来ノイズの影響を防ぐことができる。
【図面の簡単な説明】
【０００８】
【図１】  発明による筋電位センサの説明図である。
【符号の説明】
【０００９】      １    筋電位センサ
２    検出電極
３    本体ケース
４    プレート
５    支持体
６    係止手段
７    筋電位検出手段
８    皮膚
【図１】
2005237928.tif 000003
(57)【要約】【課題】永久の別れとなる故人に、来世も不自由なく生活が送れるよう、可能な限り充実した状態で送ってやりたい家族縁者の気持ちを叶える為、故人ゆかりの不燃物品の持ち物を可燃物品に代用して故人と共に納棺すること。【解決手段】  予告なく訪れる死、人生最後の儀式となるしめやかな葬儀に際し、納棺時に故人ゆかりの不燃物品を、可燃目的で代用物品の製作に至った事により、火葬時に支障をなくした代用物品で納棺が可能となり、故人、家族縁者双方の心はみちたり、故人がゆかりの品を身に着け旅する姿を偲べば思い残すことのない、できる限りしつくした事の満足と心の充実感さえ覚えることとなる。その物品は装飾品、運道用具、酒類容器、古銭、その他の代用品であり、物品の製作に使用する可燃物質も特に限定するものではない。【特許請求の範囲】
【請求項１】
不燃物であるため、火葬時に支障があり納棺出来ない故人とゆかりのある物品の代用品を、故人の所持品として棺内で燃やす事を目的に製作した物品。
【発明の詳細な説明】
【技術分野】
【０００１】  本発明は、不燃物であるため火葬時に支障を生じる故人ゆかりの物品を、故人と家族縁者双方に精神的な安らぎを与えるため、その代用品を公害に配慮しながら可燃物質を使用して、燃却する特異目的の物品作成に関するものである。
【背景技術】
【０００２】  従来の火葬様式の納棺時には、故人ゆかりの品が不燃物であると全て排除され、その不燃物の代用品としての形はほとんど無く、紙面に排除された物品の絵や、物品名を急遽書いて代用する事が多く、故人ゆかりの不燃物品を公害に配慮しながら可燃物質で、いかにして代用品化する事である。
【発明の開示】
【発明が解決しようとする課題】
【０００３】  解決しようとする課題は、生命の誕生と同時に人間の死も必ず訪れるものであり、生きている間には多くの人々や多くの品物との出会いがあって、故人は人に対しても、物に対しても様々な愛情、思いで、必要性を感じ、故人を永久の来世へ送りだす親族についても故人と同じ思いであり続けるものである。【０００４】  今日、不幸にして人生の終焉を迎えた人の葬儀方法は、殆んど火葬による方法で葬儀は執り行われており、故人は棺に納められ棺と共に火葬にされる事となるが、故人を納棺する際、家族縁者は最後の別れを告げると同時に、棺内に故人のゆかりの品を持たせて旅立たせたいとの気持から、不燃性の品も棺に入れようとするのであるが、前述の火葬時に不燃物の存在が支障をきたすため、可燃物のみの制約を受ける。【０００５】  故人にとってゆかりの品は可燃物である事ばかりではなく、長期間使用した物、身に付けた物となると不燃物である場合の方が多く、そのため可燃物の紙面に描く、書く等の代用品で済ます事が多いいが、永久の別れとなる最後に故人の生活を支えた品物が紙面の代用品では、送る家族縁者も不承不承の納得となり、精神的な奥深い心の負担が残ることとなる。【０００６】  故人の慣れ親しんだ不燃物品を納棺しようとする家族、縁者に、火葬である為納棺出来ない事の説明と物品の排除を願い、家族縁者の最後の願いを叶えられず、紙面の代用品を勧める担当者の胸中も察するに余りある。【０００７】  人は皆、死によって決別のある事で死に慄き、再びあってはならない事象である故、古来より葬儀にまつわる特異な風習が各地方で様々な形で残っており、例えば逆さごと、という名で日常行わない足袋の裏返し装着、着物の着付けの左前、湯潅をする時は水に湯を加えて適温にする逆さ水、遺体の枕元に逆さ屏風を立てる等々、特別な行動で再度起こら無い事への願望から、その場限りの諸法式を風習として受け継いでいるとの一説もある。
【課題を解決するための手段】
【０００８】  上記問題点を解決するための本発明の物品は、火葬時に不燃物であるため支障があり納棺出来ない故人とゆかりのある物品の代用品を、故人の所持品として棺内で燃やす事を目的に製作した事を特徴とする。
【発明の効果】
【０００９】  本来、生産された物品は平常な日常生活時に使用する事を前提に生産されるが、本発明は人生の終焉である最も特異な日に特異性を持って故人、家族縁者の霊妙な心に安らぎを与えるべく、燃却されて故人と共に消滅する事で役目を果たし評価される物品であり、度量や数字で表わす事の出来ない心理的な心を癒すための利用方法であり、その物品から個人が受ける恩恵は千差万別、推し量ることは出来ない。
【発明を実施するための最良の形態】
【００１０】  故人には生前の生活様式、環境などにより、ゆかりの品は様々であるが不燃物で出来たゆかりの品を、無公害の可燃物を材料に燃却する特異目的で物品の形成を行うこと。
【実施例】
【００１１】  生前、酒を愛飲していた方の場合、夜毎晩酌に必要な徳利、杯、肴は生活の一部であって家族の思いは一式持たせてやりたいとの気持ちであり、杯は木製もあり徳利は陶器、磁器製が主で不燃物である為棺に入れる事は出来ない。従って徳利を可燃性の蝋で重量感、感触、外観を実物と大差なく製作して、可燃時の公害の生じない様に配慮するものである。【００１２】  この徳利は実物と大差なく作成してあるが、目的が葬儀の納棺時と言う特異な利用に限定してあり、日常では使用することの無いよう又、逆さごとに準じて意図的に徳利の底に穴をあけ、通常の使用を避けることを講じてある事が、燃却して消滅させる事と同等に最大の特徴となる。
【産業上の利用の可能性】
【００１３】  燃やすために作られたこの物品は、人生最後の別れ及び故人に対する報恩の意味を込めた家族縁者の気持ちを、故人ゆかりの不燃品を可燃物質で製作して代用品とし、故人に来世に於いても永久に不自由なく慣れ親しんだ品物を携行させたい、故人は携行したい、との双方の気持ちに応える事となり、家族縁者は故人に対する報恩が最後であるだけにその酷似した代用焼却品の果たす意味は大きく深い。
【図面の簡単な説明】
【００１４】
【図１】本発明の徳利の側面図
【図２】図１のＡ−Ａの断面図
【図３】本発明の徳利の平面図
【符号の説明】
１  徳利本体
２  穴
【図１】
2005237924.tif 000002
【図２】
2005237924.tif 000003
【図３】
2005237924.tif 000004
(57)【要約】      ［課題］  家庭でクッキーをつくる際、クッキーの生地を容易にきれいな棒状に成形するための、調理道具の提供。従来の方法では、殊にバターなどが多くはいった柔らかめの生地は扱いにくく、きれいな棒状にするには、相当な手の器用さが必要であった。そのプロセスを簡単に行えるクッキー生地の成形のための道具を提供するものである。      ［解決手段］  合成樹脂製のしっかりした管を縦に２等分し、ｂの箇所がパカパカと開くように、ａの部分を縦に軟質樹脂テープでとめるという構造の、家庭でのクッキー作りのための成形調理道具を使用することにより、作業を容易にする。【選択図】          図１
2005237927.tif 000002
【特許請求の範囲】
【請求項１】
合成樹脂製の管を、縦に２等分し、ａの箇所をテープでとめ、ｂの箇所は開いたままの構造の、家庭でのクッキー作りのための成形調理道具。
【発明の詳細な説明】
【発明の詳細な説明】
【０００１】  〈発明の属する技術分野〉
この発明は、家庭でクッキーをつくる際、クッキーの生地を容易にきれいな棒状に形作るための調理道具に関するものである。
【０００２】  〈従来の技術〉
家庭でクッキーをつくる際の生地の成型方法の一つとして、円柱棒状に形を整えて冷蔵庫で冷やし固めた生地を、包丁で小口から６〜８ｍｍの厚みに切っていく方法があるが、従来は広げた硫酸紙やクッキングペーパーの上に生地を細長くのせ、のり巻きのように巻くというやり方で生地を細長い円柱棒状にしていた。
【０００３】  〈発明が解決しようとする課題〉
従来の方法の欠点は次の３点である。
（イ）クッキーの生地、殊にバターなどが多くはいった柔らかめの生地は扱いにくく、円柱棒状にするには、相当な手の器用さが必要であった。また、何本か作るとき、まったく同じ太さに成形することも難しいものであった。
（ロ）切り口の形は、必ずしもきれいな円形になるとは限らない。生地をていねいに円柱形にしたつもりでも、冷蔵庫内で冷え固まるまでに生地がだれるなどの状況も重なり、切り口は楕円形になってしまうことが多かった。
（ハ）従来の方法だと、切り口の形に変化をもたせるのが困難であった。
本発明は、これらの欠点を解決するためになされたものである。
【０００４】  〈課題を解決するための手段〉
合成樹脂製の管を縦に２等分し、ｂの箇所がパカパカと開くように、ａの部分を縦にとめる（図１）。図３のイ、ロは管の内側に凹凸をつけて、変化をつけた種類のもの２例である。本発明は以上のような構造の、家庭でのクッキー作りのための成形調理道具である。
【０００５】  〈本発明の実施の形態〉
以下本発明の実施の形態について説明する。
（イ）壁の厚み３ｍｍ、内径３０ｍｍ程度、長さ１５０ｍｍ程度の、しっかりした合成樹脂製の管を縦に２等分した後、元のように合わせ、継ぎ目のひとつａを軟質樹脂テープでとめ、もう一方の継ぎ目ｂが開くようにする。
（ロ）上記イは基本の円形クッキー成型用である。管の内側に若干の凹凸を施し、クッキーの形に変化をもたせたものが図３の２例である。
本発明は以上のような構造で、これを使用するときは、次の手順で行う。
１、上向きに開くように置き、開いた本品より少し大きめのクッキングペーパーをのせ、その上にクッキーの生地を、本品の片側の溝に充分に盛る。（図２−▲１▼）
２、両手で持ち、パタンと閉じて管にし、ギュッと握ると、余分な生地が隙間からはみ出るので、ヘラなどで一撫でして取り除く。（図２−▲２▼）
３、管の両端から出ているクッキングペーパーをひねり、管を輪ゴムで巻いて固定し、そのまま冷蔵庫にいれる。（図２−▲３▼）
４、生地が冷え固まったら輪ゴムをとって型からはずす。生地は型通りに形が保持されている。クッキングペーパーから出して小口から切っていく。（図２−▲４▼）
【０００６】  発明の効果
このように、きわめて容易にきれいに、クッキーの成形ができる。従来の方法では棒状にするのが困難な柔らかめの扱いにくい生地も、手間取らずに成形できる。何本か型を用意すれば、まったく同形のものを作ることができる。
【図面の簡単な説明】  ［図１］
本発明の見取り図である。
▲１▼▲２▼は開いたところを上下からそれぞれ見たものである。
［図２］
本発明の使用方法を示した見取り図である。▲１▼〜▲４▼の手順である。
［図３］
本発明の、可能なバリエーションの例である。
【符号の説明】
・ａ−  閉じた継ぎ目。
・ｂ−  開く継ぎ目。
【図１】
2005237927.tif 000003
【図２】
2005237927.tif 000004
【図３】
2005237927.tif 000005
(57)【要約】      （修正有）【課題】ゴルフボールの飛距離を伸ばすには、軸足に十分な体重をかけることが必要である。軸足にかかる最大重量を確認できることを目的とする。【解決手段】ゴルフ靴に、重量計、センサー、電気回路、重量電光表示盤をつけ、軸足に最大の負荷がかかることを確認できるようにする。また電光表示盤を注視することによりヘッドアップをなくし、フォームを改善する。【選択図】図１
2005237907.tif 000002
【特許請求の範囲】
【請求項１】
重量計、センサー、電気回路、負荷重量電光表示盤を利用し、ゴルフスウィングの体重移動による軸足への最大負荷重量を知るための練習用ゴルフ靴
【発明の詳細な説明】
【発明の詳細な説明】
【０００１】  ［発明の属する技術分野］
ゴルフ靴の底に、重量計、負荷重量を感知するセンサー、電気回路、重量電光表示盤を利用し、ゴルフスウィングにより軸足にかかる最大重量を確認できる練習用品である。
【０００２】  ［従来の技術］
ゴルフスウィングでは軸足で踏ん張るようにいわれるが、最大負荷重量が判らない。
【０００３】  ［発明の実施の形態］
ゴルフ靴１の底の内側に、重量計２と重量を電気回路３に伝えるセンサー４、電池５をつけ、スウィングによる軸足への最大負荷重量を足先につけた重量電光表示盤６で知らせ、ゴルフ技術の向上を目的とした形態。
【０００４】  ［発明の効果］
ゴルフスウィングで、軸足にかかる体重が表示され確認できるため、負荷体重を最大にし飛距離を延ばすことができる。また、電光表示盤を見るため、顎が引け、ヘッドアップがなくなりスウィングフォームを改善する。
【図面の簡単な説明】    ［図１］  斜視図
［図２］  断面図
［図３］  底面図
［符号の説明］
１  ゴルフ靴
２  重量計
３  電気回路
４  センサー
５  電池
６  重量電光表示盤
【図１】
2005237907.tif 000003
【図２】
2005237907.tif 000004
【図３】
2005237907.tif 000005
(57)【要約】      （修正有）【課題】異常皮膚を、熱交換器を用いた冷凍手術器で急速冷凍壊死させて治療する。【解決手段】熱交換器を用いた冷凍手術器の端子で、小さい皮膚腫瘍、あざ、色素沈着などの異常皮膚につけた水滴を急速冷却して、壊死させ治療する。【選択図】図１
2005237908.tif 000002
【特許請求の範囲】
【請求項１】
皮膚腫瘍、あざなど異常皮膚を急速冷凍壊死させ治療するための、熱交換器を用いた冷凍手術器。
【発明の詳細な説明】
【発明の詳細な】
【０００１】  ［発明の属する技術分野］
本発明は、皮膚腫瘍、あざ、色素沈着、入れ墨など異常な皮膚に水滴をおき、これを急速冷凍し凍傷により壊死させ、治療するための冷凍手術器である。
【０００２】  ［従来の技術］
従来は、ドライアイスを使用しているが、常備することも、使用上も不便である。
【０００３】  ［発明の実施の形態］
本発明は、熱交換器１を用い、異常皮膚２につけた水滴３を端子４で急速冷凍、壊死させ治療することができるようにした冷凍手術器である。
【０００４】  ［発明の効果］
ドライアイスを常備する必要なく、温度調節ができて過度の冷却温度も不要で、操作も容易であり、美容整形にも有用である。
【図面の簡単な説明】    ［図１］
冷凍手術器による異常皮膚の手術の斜視図
［符号の説明］
１  熱交換器
２  異常皮膚
３  水滴
４  端子
【図１】
2005237908.tif 000003
(57)【要約】      （修正有）【課題】医薬品等を曜日別、時間帯別に収納し、服用時の薬の錯誤、忘却を防止する。【解決手段】医者から受け取る医薬品等を指定の時間に服用するため、事前に曜日、時間帯別に薬を３の収納箱に入れ、３ａの蓋を閉め、服用指定時間に該当の収納箱を出し、服用を行うことにより薬の服用の錯誤、忘却の防止に役立つ。【選択図】図１
2005237909.tif 000002
【特許請求の範囲】
【請求項１】
板面に曜日、時間帯別に個別に収納箱を設け、医薬品等を収納し、服用時に明確に、個別の収納箱ごと医薬品等が取り出す事が出来、また服用時間の錯誤を防止する事ができるのを特徴とした医薬品収納箱
【発明の詳細な説明】
【技術分野】
【０００１】本発明は、板面に曜日別、時間帯別に個別の医薬品の収納箱を設けた、医薬品の保管、服用に関するものである。［背景技術］【０００２】病院等において医薬品を受け取り後、家庭で保管を行うが、服用の際は毎回袋から出して個別に分類していた、また服用時の錯誤、忘却が発生していた。［発明の開示］［発明が解決しようとする課題］【０００３】医薬品を家庭にて服用する際は、毎食後及び食間、就寝前飲用等の指定があるが、服用の時に毎回、医薬品を袋から出して必要な薬の選択は時間的、労働的にも負担が大きく、また服用の忘却もし易い。従って医薬品を保管の際に個別の収納を行えば、負担が軽減でき、前述の欠点を解決しようとするものである。［課題を解決するための手段］【０００４】本発明は、板面に曜日別、時間帯別に個別の医薬品の収納箱を設け、また収納箱は個別に脱着できるようにして、服用の際は収納箱を外し、水場まで持参できる様にしてまた、収納箱の蓋面が自由に開閉でき内容物である薬を簡単に取り出す事ができるので服用の利便性を確保してある。［発明の効果］【０００５】上述の様に、本発明の医薬品収納箱は医薬品の保管及び服用の際の利便性があり。また、指定時間外の誤飲を防止するのにも、その効果がある。［発明を実施するための最良の形態］【０００６】板面に曜日別に、朝食、昼食、夕食、就寝前等の５つのマス目を記載して、曜日別に交差する場所を切り取り、同形状より少し大き目の台形状の箱をはめ込む、箱は上面が蓋面になっており１箇所が蝶番になり、反対側がはめ込み式にて簡単に蓋面が開閉できる。箱は簡単に脱着できる様にして、台所等の水場まで簡単に持参できる。
【図面の簡単な説明】
【０００７】以下、添付図面に従って簡単な説明をする。板面は耐久性のプラスチックス等の適宣素材にて一体化形成された本体であり、３の収納箱は半透明の耐久性のプラスチックス等適宣素材にて、上面が蓋状にて開閉が任意に出来、箱本体は板面より脱着可能である。【０００８】
【図１】本発明の医薬品収納箱の実施例を示す正面図である。
【図２】３の収納箱の展開図である
【符号の説明】
【０００９】              ３  収納箱本体              ３ａ収納箱蓋面
【図１】
2005237909.tif 000003
【図２】
2005237909.tif 000004
(57)【要約】【課題】  ラドン鉱石から出されるラジウム元素を体内に取り込む事によって、はじめて体内細胞の活性化、治療効果を発生する。しかし、ラジウム元素は、発生から自然崩壊までの時間が短すぎて、体内へ取り込まれても効果的に作用する確立が低いとされている。また、ラジウム元素を皮膚を通して体内に吸収される吸収効率の改善が望まれている。【解決手段】  本考案は、ラドン鉱石に変わって、ウラン鉱石を用いる。そのウラン元素の崩壊を通して発生するラジウム元素を用いる事により、今までのラジウム元素に比べて長い崩壊時間を持つことから体内へ取り込みやすくなり体内の細胞の活性化及び治療効果を促進する。  加えて、浴槽に使用される水或いは蒸気を炭酸水に替えることにより、お湯の中に溶け込んだラジウム元素を皮膚から取り込みやすくし治療効果を促進する事を可能にする。【選択図】図１
2005237910.tif 000002
【特許請求の範囲】
【請求項１】
ウラン鉱石を放射線源とし、放射線を人体に照射する医療用及び健康用浴槽。
【請求項２】
請求項１に対し加熱するシステムを加え持つ医療用及び健康用浴槽。
【請求項３】
請求項１に対し炭酸水発生器を加え持つ医療用及び健康用浴槽。
【請求項４】
請求項１に対し炭酸水蒸気発生器を加え持つ医療用及び健康用浴槽。
【請求項５】
請求項１に対し頭部を囲うようにウラン鉱石の入った壁をもつ医療用及び健康用浴槽。
【請求項６】
請求項１に対し顔面付近に放射性物質から出るガスを供給する窓を持つ医療用及び健康用浴槽。
【発明の詳細な説明】
【特許の詳細な説明】
【技術分野】
【０００１】ウラン鉱石からのラジウム元素を利用した医療用及び健康用浴槽
【背景技術】
【０００２】  現在までラドン温泉等で医療効果及び人間の活性化に効果があるとされている。このラドン鉱石から出されるラドンガス、放射線が体内の細胞の活性化を図り病気を治す効果があるとされていた。これらの効果を利用して温泉施設の他に医療施設、個人用のお風呂用としてラジウム発生器等が販売されている現状である。
【発明が解決しようとする課題】
【０００３】  ラドン鉱石から出されるラジウ厶元素を体内に取り込む事によって、はじめて体内細胞の活性化、治療効果を発生する。しかし、ラジウム元素は、発生から自然崩壊までの時間が短すぎて、体内へ取り込まれても効果的に作用する確立が低いとされている。
また、ラジウム元素を皮膚を通して体内に吸収される吸収効率の改善が望まれている。
【課題を解決する手段】
【０００４】  本考案は、ラドン鉱石に変わって、ウラン鉱石を用いる。そのウラン元素の崩壊を通して発生するラジウム元素を用いる事により、今までのラジウム元素に比べて長い崩壊時間を持つことから体内へ取り込みやすくな体内の細胞の活性化及び治療効果を促進する。
加えて、浴槽に使用される水或いは蒸気を炭酸水に替えることにより、お湯の中に溶け込んだラジウ厶元素を皮膚から取り込みやすくし治療効果を促進する事を可能にする。
【発明を実施するための最良の形態】
【０００５】  本考案は、浴槽に使用されるお湯、蒸気の温度と共にウラン鉱石の含まれるバスタブを含めた全体の温度をコントロールする為に▲１▼湯温設定機で設定する。また、これに使用されるお湯或いは蒸気は▲２▼炭酸水製造機から供給される炭酸水を用いる事によって皮膚からの吸収を促進させる。
▲３▼バスタブは、▲４▼上ブタと▲６▼頭部照射壁に囲われる事によって体全体に放射線を受けられる環境を作る。
▲３▼バスタブを含め浴槽全体を▲７▼内壁と▲８▼外壁の間に挟まれた▲９▼ヒーター、▲１０▼ウラン鉱石パック、▲１１▼断熱材で包み組む事により効果的な治療効果をもたらせる事を可能にする。
加えて顔面の位置する近傍にウラン鉱石から出されるラジウム元素ガスの吸引を可能にするために▲５▼ガス吸引窓を設置する。
【発明の効果】
【０００６】  以上の放射線を用いての医療用及び健康用浴槽を用いる事により、ラジウム元素の崩壊時間の長い元素を用い、体全体に放射線を照射可能にする。
加えてバスタブに入れられたお湯に溶け込んだラジウム元素を炭酸水を用いて皮膚から効率的に吸収されることを可能にする。
【図面の簡単な説明】
【図１】医療管理システムの概略図
【符号の説明】
１．  温度設定機
２．  炭酸水製造機
３．  バスタブ
４．  上ブタ
５．  ガス吸引窓
６．  頭部照射壁
７．  内壁
８．  外壁
９．  ヒーター
１０．ウラン鉱石パック
１１．断熱材
【図１】
2005237910.tif 000003
(57)【要約】      （修正有）【課題】透明表面板から水素マイナスイオンビ−ムを発生させ、実用性と装飾性、芸術性を両立させる写真、絵画等の額縁の提供。【解決手段】額縁の裏板の上に金属板１、写真または絵画等２、ガラスまたは透明プラスチック板３、導電面を上にしたＩＴＯの透明導電膜フイルム４−を順番に重ねて置き、金属板と透明導電膜フイルムの表面＜＋＞の間に電池を繋ぐ。【選択図】図１
2005237906.tif 000002
【特許請求の範囲】
【請求項１】
透明板の表面から水素のイオンを発生させる方法
【発明の詳細な説明】
【発明の詳細な説明】
特許願２００２−１４３８３６で、すでにコンデンサ−型の水素マイナスイオン発生の原理を示した。簡単には二枚の金属板の間に絶縁膜を挟んで電圧をかけ、正極側の金属板に多数の小穴を開ける。このとき絶縁膜表面に自然吸着している水素分子Ｈ２が分極（Ｈ＋−Ｈ−）しているので、水素マイナスイオンＨ−（正極側）がビ−ムとして加速され大気中に放出される。原理は以上のようであるが、正極が金属メッシュでは額縁に使用しても透明性がないので実用的な壁掛けマイナスイオン発生器にしかならない。
さてここで正極板がもし透明な電導体であり、多くの小穴があれば、写真、絵画等を絶縁膜と正極板の間に挿入すればあたかもそれ等の表面からマイナスイオンが発生したようになり、装飾性、芸術性が実用性に加わる。
そこで本発明では、透明な絶縁膜の片側表面に酸化インジュウム（ＩＴＯ）をコ−テングした透明導電膜に注目し、負極金属板の上に写真や絵画等を置き、更にその上に透明導電膜を置き（導電面を上にして）負極板との間に電圧をかけるようにした。即ち、透明導電膜の表面が平面コンデンサ−の正極となる。ＩＴＯは１０Å以上の間隔で配列されているので小穴が多数絶縁膜の上にあることに相当する。
大気中での水素は極めて吸着力が強く、ＩＴＯの下にも吸着した水素Ｈ２があり、コンデンサ−に電圧をかけるとＨ２はＨ＋，Ｈ−に分極する。Ｈ−は１Å程度の大きであり、ＩＴＯの分子間隔がより大きいのでそれ等の隙間からＨ−は電界によって大気中にビ−ム状に引き出される。実際の額縁での手順は図１に示した。
かくて、部屋に飾った写真や名画の表面から、人体に効用があると言われているマイナスイオンが場所もとらず、安価で騒音もなく簡単に多量（数万ケ／ｃｃ）に発生できるようになった。なお、コンデンサ−にかける電圧を逆にすれば水素プラスイオンＨ＋も発生できる。従って、Ｈ−，Ｈ＋併用により、プラズマ的にも利用できる。
【図面の簡単な説明】［図１］
透明導電膜面を正極にした平面コンデンサ−型額縁
［符号の説明］
［図１］
１はコンデンサ−の負極になる金属板、２は写真または絵画等、３は額縁のガラス板または透明プラスチック板、４はＩＴＯをコ−テングした透明導電膜フイルム、５はＩＴＯ導電膜の表面、６は水素マイナスイオンＨ−ビーム、７は電池。
【図１】
2005237906.tif 000003
(57)【要約】      （修正有）【課題】日常室内履きを使用することで、足首とふくらはぎを伸ばし、つまづきを減少させ、同時に土踏まずの指圧をして健康な体に役立て日常生活を快適にする。【解決手段】室内履きの前方を高さ調節可能とし、室内履きの内部にポケットをつけ、冷暖の水の入った袋を入れて快適にし、土踏まずには固形物の様々な形のもので誰にでも使用できるようにした。【選択図】図１
2005237940.tif 000002
【特許請求の範囲】
【請求項１】
室内履きの前方を高くし、土踏まずを指圧するようにしたもので、冬、夏の冷、暖効果もあるように費用をかけずに電子レンジ又は冷凍庫で冷暖し、同時にその使用方法も、高さ調節を自由にし、誰にでも使用可能とするよう考案したもので、通常の平らな使用も可能にした足首ふくらはぎ伸ばし指圧冷暖室内履き。
【発明の詳細な説明】
【技術分野】
【０００１】  本発明は、室内履きの前方を調節自由に上げ、足首とふくらはぎを伸ばし、同時に土踏まずを指圧し、温、冷の水袋で足を快適にし、血行を促すものである。
〔背景技術〕【０００２】  従来、前方上げのスリッパはあるが、それを通常の使用にも平らにして使用することはできず、指圧効果や、温、冷効果もなかった。
【発明の開示】
〔発明が解決しようとする課題〕
【０００３】それには次のような問題点があった。
（イ）室内履きを通常使用に平らにして使えない。
（ロ）スリッパだと歩く度にずり落ちてくる。
（ハ）健康効果を首足ふくらはぎ伸ばしに限定している。
（ニ）真冬の使い分けがない。
本発明は、以上の問題点を解決するためのものである。
〔課題を解決するための手段〕
【０００４】室内履きの前方に、両側をゴムで自由に伸び縮みする開口部分を作り、そこに前方が高くなるように別のくつ底を高さを調節しながらさし込んで、固定する。又、内側の上部と土踏まずの部分にポケットを作り、ゴム又はビニール樹脂の水を入れた袋を冬は電子レンジで暖ため、冬は冷凍庫で冷やして挿入する、足の指圧の為の固形物は、別にビニール樹脂などで軟かいものから硬いもの、うすいものから厚いものと段階的につくり使用する。室内履きの材質は、冬はフリース地、夏はメッシュ地でつくり、前方は開け、後方はベルトとして風通しをよくする。
〔発明の効果〕
【０００５】スリッパでなく、室内履きとして後３部分があるので歩いてもずれない。同時に土踏まずの指圧をし血行をよくするので、健康に役立つ。又冬、夏で、足先に暖、冷の効果があるので、気分がよく快適である。足首を伸ばすと、つまづきが減少するし、背すじが伸びて、内臓にもよい影響を与える。冷暖の費用が不用。
〔発明を実施するための最良の形態〕
【０００６】以下、本発明の実施の形態を説明する。
（イ）室内履きの前部分を両側がゴムで自由に開くようにし（１）、そこに別途作ったゴム底（２）を挿入する、その高さは入れる枚数で調節し、何も挿入しない時は通常の室内履きとして、平らのまま使用できる。内部の前方上と土踏まずの部分にポケットをつけ（３）、ゴム又はナイロン樹脂でできた袋に水の入ったもの（４）を冬は電子レンジで暖ため、夏は冷凍庫で冷やして入れる。
（ロ）土踏まずの指圧効果を計るため、別途、様々な形と硬さのビニール樹脂で作った固形物を土踏まずのポケットに入れ使用する（５）
（ハ）冬はフリース地で室内履きを作り（図１）、夏はメッシュの風通しよ良いもので作り（図２）前方は開口部分を作り、後方は、ベルトで開放する（６）。
【図面の簡単な説明】
【０００７】〔図１〕本発明の使用状態を示す斜視図で冬使用の例。
〔図２〕本発明の使用状態を示す斜視図で夏使用の例。
〔図３〕本発明の実施例を示す斜視図。
【符号の説明】
【０００８】１  室内履きの両側につけるゴム製のもの
２、室内履きの前方に挿入するくつ底の一部。
３、ポケット
４  ゴム又はビニール樹脂製の水の入った袋。
５  土踏まず指圧用の固形物（ビニール樹脂製）
【図１】
2005237940.tif 000003
【図２】
2005237940.tif 000004
【図３】
2005237940.tif 000005
(57)【要約】【課題】衛生的で手首への着脱が簡単な肘からの水垂れ防止用具を提供する。【解決手段】中空になった円筒状のスポンジを準備し円筒の側面をラセン状に一つながりに切り離し、それを任意の長さに切断し、巻きぐせのついたスポンジを作ることを特徴とする腕につける水垂れを防ぐ水垂れ防止具。【選択図】  図５
2005237932.tif 000002
【特許請求の範囲】
【請求項１】
中空になった円筒状のスポンジの側面をラセン状に一つながりに切り離し、それを任意の長さに切断した巻きぐせのついた腕につける水垂れ防止具。
【発明の詳細な説明】
【技術分野】
【０００１】  本発明は腕につけるためのスポンジをラセン状に切り取った家庭用保健衛生用品で、腕につける水垂れ防止具に関するものである。
【背景技術】
【０００２】  従来、布やゴムを手首に巻いて使うもので洗顔時の肘への水垂れを防ぐための身体衛生用品があった。
【発明の開示】
【発明が解決しようとする課題】
【０００３】  そのために次のような問題点があった。
（イ）布製のものは使用した後の清掃が難しく乾燥にも時間がかかるため衛生管理に難点があった。
（ロ）ゴム製のものはすべりにくく手首への着脱が難しい欠点があった。
（ハ）面ファスンナーや止め具等の補助部品を用いる製品がほとんどで構造が複雑になる欠点があった。
本発明は、これらの欠点を解決するために発明されたものである。
【課題を解決するための手段】
【０００４】  中空になった円筒状のスポンジを準備し円筒の側面をラセン状に一つながりに切り離す。
それを任意の長さに切断する。
こうして巻きぐせのついたスポンジを作る。
以上の構成からなる肘からの腕につける水垂れを防ぐスポンジ。
【発明の効果】
【０００５】  本発明は円筒状への復元力を持つスポンジによる一体作りである。
本発明は洗浄しやすく乾きもはやいため衛生的である。
しかも、腕への着脱も簡単であり、一体作りのため構造も簡単である。
【発明を実施するための最良の形態】
【０００６】  以下、本発明の実施の形態について説明する。
直径が手首の大きさより小さい中が中空（１）になった円筒状の発砲ポリウレタン樹脂製のスポンジ（２）を準備し、円筒状の側面をラセン状（３）に一つながりに切り離すことを通して、細長いひも状の、あるいは平べったいバンド状の、または立体感のあるつば状の巻きぐせのついたスポンジを作る。
円筒状のスポンジ（２）の厚さを薄くし、側面をラセン状（３）に一つながりに切り離す時の切り幅も小さくして、巻きぐせのついた細長いひも状のスポンジを作る。
円筒状のスポンジ（２）の厚さを薄くし、側面をラセン状（３）に一つながりに切り離す時の切り幅を大きくして、巻きぐせのついた平べったいバンド状のスポンジを作る。
円筒状のスポンジ（２）の厚さを厚くし、側面をラセン状（３）に一つながりに切り離す時の切り幅を円筒状のスポンジ（２）の厚さと同程度にして、巻きぐせのついた立体的なつば状のスポンジを作る。
巻きぐせのあるそれぞれのスポンジを任意の長さに切断して単体の巻きぐせのついた手首につけるスポンジを作る。
巻きぐせのあるそれぞれのスポンジを短めに切断して手首に巻かれる回数が少ないスポンジを作る。
巻きぐせのあるそれぞれのスポンジを長めに切断して手首に巻かれる回数が多いスポンジを作る。
以上の構成からなる肘からの水垂れを防ぐ腕につけるスポンジ。
本発明は以上のような構成でこれを使用する時は、スポンジを両手首に巻き、または両手首を巻きぐせの中に通し、スポンジを軽く肘の方まで押し上げてスポンジのだぶつき、ぐらつきをなくして巻きぐせのついたスポンジが両腕に通った状態で使用する。
肘の方へ流れようとする水はこのスポンジに吸収される。こうして洗顔時の不快な水垂れを防ぐ。
洗顔した後は全体を水洗いし軽く押し絞って乾燥させる。
【図面の簡単な説明】
【０００７】
【図１】  円筒状のスポンジの斜視図
【図２】  円筒状のスポンジをラセン状に切った斜視図
【図３】  細長いひも状のスポンジの使用状態を示した説明図
【図４】  平べったいバンド状のスポンジの使用状態を示した説明図
【図５】  立体的なつば状のスポンジの使用状態を示した説明図
【符号の説明】
【０００８】  １  中空部分
２  円筒状のスポンジ
３  ラセン状の切り離し面
４  細長いひも状のスポンジ
５  平べったいバンド状のスポンジ
６  立体的なつば状のスポンジ
【図１】
2005237932.tif 000003
【図２】
2005237932.tif 000004
【図３】
2005237932.tif 000005
【図４】
2005237932.tif 000006
【図５】
2005237932.tif 000007
(57)【要約】      （修正有）【課題】介護者がシャワー使用仕事時、シャワーを浴びない、汚れないことと、介護受け人を湯に浸かりながら洗剤等使用時、滑らず安全と資源（燃料、水）の節約となる介護者、介護用シャワークロスを提供することにある。【解決手段】介護者エプロンの中部に合成樹脂材質で、小型、お湯溜め浴槽を設けることで解決手段として提供することにある。【選択図】図１
2005237933.tif 000002
【特許請求の範囲】
【請求項１】
首掛け、ベッド、ひもを設けたエプロン中部に、腰掛け浴槽を設け、脱着も出来ることを特徴とする、介護者、介護用シャワークロス。
【発明の詳細な説明】
【技術分野】
【０００１】本発明は介護者の補助具に関する。
【背景技術】
【０００２】従来の介護用エプロンは、一人で入浴、シャワーを浴びることの出来ない人のため介護者が使用するエプロンはあり、利点が多い。
【発明の開示】
【発明が解決しようとする課題】
【０００３】しかしながら、入浴出来ず、シャワーだけ浴びる、お湯を垂れ流し、燃料、水等の資源の節約、洗剤等使用で、滑る危険があり不利がある。
【課題を解決するための手段】
【０００４】本発明は従来方式、エプロンの中部に合成樹脂等、外壁突設、浴槽を設け、脱着も出来ることを提供することで上記課題を解決する。
【発明の効果】
【０００５】本発明はエプロンに設けた浴槽に座ることで洗剤等使用でも滑る危険度が解決出来ることと、浴槽に溜まったお湯を再使用で節約にもなり、浴槽の溜まったお湯で体に保温出来る効果がある。
【発明を実施するための最良の形態、実施例】
【０００６】本発明の介護者用エプロンは、介護者が仕事をするために前方に掛け、汚れを防止するために使用される用具で、そのエプロンの中部に小型の浴槽を設け、浴槽にお湯を溜め、溜めたお湯に浸かりながら垂れ流しを多くせず、溜めたお湯を再利用し、洗剤等使用時、滑りの防止にもなる。エプロンと浴槽は脱着も出来る介護者、介護用シャワークロスの形態。
【０００７】介護者、介護用シャワークロスは、エプロンは合成樹脂等の材質で、小型のお湯溜め浴槽も合成樹脂の材質で浴槽の中材質はスポンジ、又は空気を使用される構造である。
【図面の簡単な説明】
【図１】    本発明に係る介護者、介護用シャワークロスの正面工程図である。
【図２】    本発明に係る介護者、介護用シャワークロスに設けられる小型、浴槽の断面図である。
【図３】    本発明に係る介護者、介護用シャワークロスの使用図である。
【符号の説明】
１    エプロン（合成樹脂材質）
２    ベッド、ひも
３    浴槽
４    浴槽、外壁突設カバー
５    浴槽カバーに入れられる合成樹脂、スポンジ
６    空気出入口バルブ（空気使用時）
【図１】
2005237933.tif 000003
【図２】
2005237933.tif 000004
【図３】
2005237933.tif 000005